(57)【要約】      （修正有）【課題】メジャーテープのそりを従来と反対にして、引き出すためにあるＬ字型の金具が、突起部がそり面の反対に行くような突起部をもち、引っかけて長さを測るときはＬ字型の突起部が下に行くように、又引っかけないで短い寸法をはかる時には、Ｌ字型の突起部が上に行くようにしたバネリール式メジャーテープを提供する。【解決手段】従来のバネリール式メジャーテープのそりを逆にして、なおかつ、長さ０の所にあるＬ字型の金具がメジャーテープＡの突起部がそり面の反対に行くことが出来るＬ字型金具を備えた。【選択図】図０９
2014219376.tif 000002
【特許請求の範囲】
【請求項１】
バネリール式メジャーでメジャーテープの膨らみが従来のバネリール式メジャーと逆に引き込む。すなわち、メジャーテープの膨らみの縁が中央より巻き取り軸に対して外側にあるように巻き込むバネリール式メジャー。
【請求項２】
Ｌ字型引き出し金具の一部がメジャーテープの反対側にも出っ張りを出せるＬ字型引き出し金具持ったバネリール式メジャー。
【請求項３】
バネリール式メジャーでメジャーテープの膨らみが従来のバネリール式メジャーと逆に引き込む。すなわち、メジャーテープの膨らみの縁が中央より巻き取り軸に対して外側にあるように巻き込むバネリール式メジャーで、かつ、Ｌ字型引き出し金具の一部がメジャーテープの反対側にも出っ張りを出せるＬ字型引き出し金具持ったバネリール式メジャー。
【発明の詳細な説明】
【技術分野】
【０００１】  本発明は、特に短い寸法を測りやすくするためにメジャテープ部分のそり方を反対にし、測る部分にメジャーが密着するようにしたもの。
【背景技術】
【０００２】  従来のバネリール式メジャーは、回転して巻き取られるメジャーテープ内側に目盛が付いていて（※両面に目盛が付いているのを除く）、巻き取られる中心軸から、メジャーテープの中央部分が山の頂上のようになって、同じ目盛部分で湾曲している。材質はバネ板である。
［図０１］に示すように、図の上のバネリール式メジャーが従来のメジャーである。下のメジャーが本考案に近い目盛面がまだ書き込んでいない白のままのメジャーである。もちろん、写真に写っている白の部分には目盛が書き込まれる。※従来のバネリール式メジャーをメジャーテープの裏表を逆にして巻いたものが本考案のバネリール式メジャーで［図０１］、［図０２］で示す下側のバネリール式メジャーがそれに近い。
［図０１］に示すように、従来のバネリール式メジャーは、メジャーテープ先端に着いているＬ字型の金具がじゃまして、１０ｃｍの位の短い寸法は計りづらい。下のバネリール式メジャーが本考案に近いが、目盛面がまだ書き込んでいない。もちろん、写真に写っている白の部分には目盛が書き込まれる。もし、目盛が書き込まれていたら、１０ｃｍの位の短い寸法なら遙かに測りやすい。
［図０２］に示すのは、図の上のバネリール式メジャーは両面に目盛が付いている従来のタイプのメジャーである。従来のタイプのメジャーの裏面で物を測ろうとしている図である。やはり、メジャー取り出し口が上にあり、平面に置いてある物を測定しようとするとメジャーテープの出口が物と離れて、測定しにくい。
下のバネリール式メジャーが本考案に近い目盛面が書き込んでいない白のままのバネリール式メジャーである。もちろん、写真に写っている白の部分には目盛が書き込まれる。もし、目盛が書き込まれていたら、遙かに測りやすい。
【発明の概要】
【発明が解決しようとする課題】
【０００３】  従来のバネリール式メジャーは、次のような欠点があった。
（イ）従来、通常の使い方では、［図０１］の図でも分かるように、特に１０ｃｍ位の      短い長さを測るときメジャーテープ引き出すためにあるＬ字型の金具が、測ろうと      する物よりメジャーが密着するのを妨げる。
（ロ）従来、物を長さを測る時目盛と測定場所は、［図０３］の上のメジャー図から分      かるように離れている。よって、メジャーテープを測定位置で目盛部分を押さえつ      けるか、バネリール式メジャーを引き出したメジャーを軸として回転させたりする      ような動作が必要になる。※［図０１］、［図０２］に２本あるバネリール式メジ      ャーうちの下のバネリール式メジャーは、本考案に近い目盛面が書き込んでいない      白のままのメジャーである。
（ハ）従来、バネリール式メジャーのメジャーテープの横断面は弓なりになっており、      それをまっすぐにするのはかなりの力がいる。
本発明は、以上のような欠点をなくすためになされたものである。
【課題を解決するための手段】
【０００４】メジャーテープの反り方向を、従来のバネリール式メジャーと反対方向にすることによって、目盛が測る部分に密着するようにした。【０００５】メジャーテーブの目盛０（ゼロ）近くにあるＬ字型引き出し金具の出っ張りの方向を逆にして、０（ゼロ）近くの目盛部分が密着するようにした。
［図０１］や［図０２］のように中の下に描いているのバネリール式メジャーでは、物の寸法が測りやすいが、物にＬ字型引き出し金具を引っかけて物の寸法を測ろうとした時に、単にＬ字型引き出し金具を従来のと反対位置に付けたのでは、物に引っかけて測ろうとしても  引っかからない。【０００６】本考案のバネリール式メジャーのＬ字型引き出し金具は、次のような工夫がしてある。
Ｌ字型引き出し金具には、下に伸びるようになっていて、金具の形を変えることによって物がスムーズに測れるようになっている。
［図０５］と［図０６］は、ひとつの考えのバネリール式メジャーのメジャーテープの引き出し口の金具の図である。物を測る部分のいち部分がスライドして、下にずらすことによって、スムーズに測れるようになっれいる。
［図０７］と［図０８］は、メジャーテープの軸に対してＬ字型引き出し金具の一部分が回転し、メジャーテープの目盛が付いている面より反対側（裏側）に、出っ張りいくようにして、物に引っかけて測ろうとしてもスムーズに測れるようにしたものである。【０００７】［０００３］の（ハ）の解決するための、バネリール式メジャーのメジャーテープの横断面を［図０９］と［図１０］で示した。板バネの中央部分をえぐりとり、力を加えない時の、メジャーテープの板バネの形状が［図０９］である。もちろん、上面に目盛が描かれている。［図０１０］は、上から下に力が加わって、平らになったメジャーテープの形状である。弧状に反り返っているようなメジャーテープよりも、少ない力で平らにすることができる。
【発明の効果】
【０００８】  （イ）メジャーテープの反りを従来のバネリール式メジャーの反対にすることによって  計測する物とメジャーテープの目盛を密着させた。
（ロ）目盛０（ゼロ）近くに付いている、メジャーテープを引き出すＬ字型引き出し金  具の出っ張りを反対側にすることで、短い寸法を測るときメジャーテープの目盛とより  密着させることが出来る。
（ハ）Ｌ字型引き出し金具の物を測る起点を、出っ張りをメジャーテープ面の表側（上  側）のみとすることも、また裏側（下側）にも伸ばせることでスムーズに正確に物を計  測出来るようにした。
【図面の簡単な説明】
【０００９】
【図０１】  写真の上側のがバネリール式メジャーが従来のもので、下側のが目盛はは付いていないのですが、Ｌ字型引き出し金具の位置方向とかメジャーテープの反り方が本考案のバネリール式メジャーと同じものである。
【図０２】  写真の上側のが両面目盛が付いているバネリール式メジャーの従来のもので、下側のが目盛はは付いていないのですが、Ｌ字型引き出し金具の位置方向とかメジャーテープの反り方が本考案のバネリール式メジャーと同じものである。
【図０３】  メジャーテープの反り方を示した写真。下に反っているのと上に反っているを示している。
【図０４】  メジャーテープのＬ字型引き出し金具を引き出す方向から見た物で、斜線部分が、物を引っかけて測る時下に移動させる。スライド式になっている。
【図０５】  メジャーテープのＬ字型引き出し金具を上から見た物で、斜線部分が物を引っかけて測る時に下に移動させる。スライド式になっている。
【図０６】  Ｌ字型引き出し金具のスライド部分を下に移動させた図。
【図０７】  Ｌ字型引き出し金具の回転板が上に位置する図。
【図０８】  Ｌ字型引き出し金具の回転板が下に位置する図
【図０９】  メジャーテープの断面がが弧状でないメジャーテープ。
【図１０】  メジャーテープの断面がが弧状でない［図０９］メジャーテープを上から力を加えた形状。
【発明の実地するための形態】
【００１０】  以下、発明の実地するための形態について説明する。
バネリール式メジャーで従来のメジャーテープは巻き取り軸に対して、メジャーテープの断面でいうと中央が縁より外側（遠い位置）にあるが、本考案のバネリール式メジャーは逆になっている。すなわち、メジャーテープの縁が中央より外側（遠い位置）にある。
Ｌ字型引き出し金具が、従来のバネリール式メジャーとメジャーテープの膨らみに対して同じ側にに出っ張りがでている。すなわち、膨らんでいる側に、出っ張りがでるような構造で、かつ反対側にも出っ張りを付けることができる。
【符号の説明】
【００１１】    Ａ  メジャーテープ
Ｂ  Ｌ字型引き出し金具
Ｃ  Ｌ字型引き出し金具の一部でスライド板
Ｄ  Ｌ字型引き出し金具の一部で回転板
【図０１】
2014219376.tif 000003
【図０２】
2014219376.tif 000004
【図０３】
2014219376.tif 000005
【図０４】
2014219376.tif 000006
【図０５】
2014219376.tif 000007
【図０６】
2014219376.tif 000008
【図０７】
2014219376.tif 000009
【図０８】
2014219376.tif 000010
【図０９】
2014219376.tif 000011
【図１０】
2014219376.tif 000012